(57)【要約】【課題】デザインとの統一性を残しつつ、幅広い使用者に対応した手指挟みのない引戸の引き込み構造を提供する。【解決手段】引戸１の引き込み構造は、部屋２の開口部３にスライドして開閉するように配設され、戸先側部分５ｃに引手５ａ及び前記引手５ａよりも下の位置で且つ前記引手５ａより戸尻５ｆ側に寄った戸先側部分５ｃに凹部６を有する引戸１と、前記開口部３に臨み、引き込んだ引戸１を収納する扉引き込み部４とで構成される。扉引き込み部４に引戸１を引き込んだ状態で引戸１の横幅より浅くて戸先５ｄ側に引き残しＺが生じ、前記引き残しＺにおいて、扉引き込み部４の開口端面４ｃから凹部６の戸先側内面６ａの間に指より太いの隙間Ｘが設けられる。更に、引戸１と扉引き込み部４の引き込み口４ｂの内面との間の隙間Ｙは、指より太く設けられる。【選択図】図３
2018105042.tif 000002
【特許請求の範囲】
【請求項１】
部屋の開口部にスライドして開閉するように配設され、戸先側部分に引手及び前記引手よりも下の位置で、且つ、前記引手より戸尻側に寄った戸先側部分に凹部を有する引戸と、
前記開口部に臨み、引き込んだ前記引戸を収納する扉引き込み部とで構成された引戸の引き込み構造において、
前記扉引き込み部に前記引戸を引き込んだ状態で前記引戸の横幅より浅くて戸先側に引き残しが生じ、前記引き残しにおいて、前記扉引き込み部の開口端面から前記凹部の戸先側内面の間に指より太いの隙間が設けられることを特徴とする引戸の引き込み構造。
【請求項２】
前記引戸と前記扉引き込み部の引き込み口の内面との間の隙間は、指より太く設けられていることを特徴とする請求項１に記載の引戸の引き込み構造。
【発明の詳細な説明】
【技術分野】
【０００１】
本発明は、部屋の開口部にスライド自在に設けられた引戸を開ける場合の手指詰めがない引戸の引き込み構造に関し、更に詳しくは、上記引戸には、戸先側に引手及び引手以外の凹部（例えば、採光窓や飾り凹部）が設けられることがあるが、引戸を扉引き込み部（例えば、戸袋や控え壁）側に引いた時、引戸と扉引き込み部の引き込み口（或いは当該部分に設けられた方立）との間で指挟みを生じることのない引戸の引き込み構造に係る。
【背景技術】
【０００２】
従来、引戸には、これを開閉する必須のものとして、引手が戸先側の所定の場所に設けられている。そして、開口部の開口幅を出来るだけ大きく取ろうとして、通常、開口部に引戸全体を引き込めるだけの奥行きの扉引き込み部（例えば、戸袋や控え壁）が設けられており、開口部を開くために引戸を扉引き込み部に引き込んだ時、扉引き込み部の入口である引き込み口（或いは方立）と引戸の戸先とが一致するようになっている。
【０００３】
この時、引き込み口（或いは方立）と引戸との間の隙間は僅かで、引手に掛けた指が引き込み口（或いは方立）と引手との間に挟まれるという事故が、特に子供において多くあった。そこで、このような引戸開閉時の手指挟みを防止するものとして、特許文献１に示すような発明が提案された。
【０００４】
特許文献１に記載の発明は、引手における手指挟み防止策として、引戸の表面及び裏面の側面（即ち、戸先や戸尻）寄りの部位に、引戸の上端部から下端部まで連続する引手溝を設け、且つ、この引手溝の形状を手指挟みしにくい形状としたものである。
【０００５】
即ち、引手溝の水平方向の中央部を突出させて、引手溝を断面略Ｍ字状に形成した。こうすることで、引戸を引き込む最終段階で、扉引き込み部の引き込み口に設けた方立に接触した手指が引戸の引き込み動作と共に引手溝の傾斜に沿って自動的に排出され、引戸と方立との間に手や指が挟まれることがない、としている。
【先行技術文献】
【特許文献】
【０００６】
【特許文献１】特許４８０１５７７号公報（図９）
【発明の開示】
【発明が解決しようとする課題】
【０００７】
しかしながら、上記のように引手溝を断面略Ｍ字状に形成するという特殊形状は、引戸のデザインに大きく影響し、デザインの統一性を損なうし、大人は兎も角、子供の細い指では構想通りに引手溝の傾斜面を滑らず、狭い引戸と方立との間に挟まれる恐れがある。
【０００８】
加えて、引戸の明り取りや装飾として戸先側部分においてその上部から下端部まで、飾り板材を嵌め込んだ凹部や透明板を嵌め込んだ採光窓などが設けられ、場合によっては、その周囲に引戸の表面から突出するように額縁状の外観を呈する装飾用のモールが取り付けられているものがある。
【０００９】
引戸の開閉は、通常、引手を使用するが、特に、背の低い子供のような場合には、高い位置にある引手を使用せず、低い位置にある飾り凹部や採光窓を引手代わりに使用することがよく見られる。このような場合、飾り凹部や採光窓（更には、その周囲に設けられたモール）と方立等との間に手指を挟んで怪我をすることもあったが、このような場合における対策は、現時点ではない。
【００１０】
本発明は、上記従来例に鑑みてなされたもので、デザインの統一性を残しつつ、幅広い使用者に対応した手指挟みのない引戸の引き込み構造の提供をその課題とする。
【課題を解決するための手段】
【００１１】
請求項１に記載した引戸１の引き込み構造は、
部屋２の開口部３にスライドして開閉するように配設され、戸先側部分５ｃに引手５ａ及び前記引手５ａよりも下の位置で、且つ、前記引手５ａより戸尻５ｆ側に寄った戸先側部分５ｃに凹部６を有する引戸１と、
前記開口部３に臨み、引き込んだ引戸１を収納する扉引き込み部４とで構成された引戸１の引き込み構造において、
扉引き込み部４に引戸１を引き込んだ状態で引戸１の横幅より浅くて戸先５ｄ側に引き残しＺが生じ、前記引き残しＺにおいて、扉引き込み部４の開口端面４ｃから凹部６の戸先側内面６ａの間に指より太い隙間Ｘが設けられることを特徴とする。
【００１２】
請求項２に記載した引戸１の引き込み構造は、請求項１において、引戸１と扉引き込み部４の引き込み口４ｂの内面との間の隙間Ｙは、指より太く設けられていることを特徴とする。
【発明の効果】
【００１３】
これに拠れば、上記指の太さより大きな隙間Ｘ，Ｙにより、引手５ａに指を掛けた時は勿論、凹部６に指を掛けて引戸１を開閉した時でも手指挟みを回避できる。
【図面の簡単な説明】
【００１４】
【図１】本発明の引戸を示す正面図である。
【図２】（ａ）本発明に使用される引戸の第１例の正面図、（ｂ）第２例の正面図である。
【図３】本発明の引戸を装着した開口部の一部省略横断面図である。
【図４】図３の縦断面図である。
【発明を実施するための最良の形態】
【００１５】
以下、図１乃至図４を参照して本発明について説明する。引戸１は、板状の引戸本体５と、戸先側部分５ｃにて前記引戸本体５の表裏両面に設けられた引手５ａ、及び採光窓や飾り凹部など引戸本体５に設けられた凹部６とで構成される。
【００１６】
本実施例の引戸１は、引吊戸であるから、引戸本体５の上面端部に戸車１５（図４参照）が立設されている。そして、引戸本体５の下面端部にガイド足１６が垂設されている。
【００１７】
引戸本体５は、高さ１,８００〜２,０００ｍｍ×横幅１,０００〜１,１００ｍｍの板状体で、その戸先側部分５ｃの中央やや上の位置（下から１,２００ｍｍ前後、即ち、下から高さの５５％〜６０％の位置）で戸先５ｄから５０ｍｍ前後戸尻５ｆ側に拠った位置に引手５ａがその表裏に設けられている。
【００１８】
引戸本体５の表裏に設けられた凹部６は、デザインに応じて様々なものがあり、図１の場合は、引戸本体５のほぼ上下方向全体に伸びた縦長長方形の凹み、又は採光窓で、装飾板６ｃ（又は、透光板）が嵌め込まれている。凹部６の周囲には、図２に示すように必要に応じてモール５ｈが設けられる（図１の場合はモール５ｈなしである）。
【００１９】
図２（ａ）の場合は、縦長長方形の凹み（又は、採光窓）で構成される上下二段に設けられた凹部６で、周囲にモール５ｈが取り付けられている。モール５ｈは、図３に示すように、凹部６の内周に額縁状に取り付けられるもので、その内周に形成された取付溝５ｇに上記装飾板６ｃ（又は、透光板）が嵌め込まれている。
【００２０】
図２（ｂ）の場合は、円形の凹み（又は、採光窓）で構成される縦方向に３個の一列に設けられた凹部６で、凹部６の周囲には、上記同様リング状のモール５ｈが設けられ、上記装飾板６ｃ（又は、透光板）が嵌め込まれている。
【００２１】
上記凹部６の設置位置は、戸先側部分５ｃであるが、引手５ａより戸尻５ｆ側に拠った位置に設けられ、その一部（図１の場合は、凹部６の下部、図２（ａ）の場合は、下段の凹部６、図２（ｂ）の場合は、少なくとも最下段の凹部６）が引手５ａより下に形成されている。上記凹部６の形状は、単なる一例で、これらに限定されるものではない。
【００２２】
なお、上記戸先側部分５ｃとは、引戸本体５を戸先５ｄ側と戸尻５ｆ側とに２分割した時、戸先５ｄ側の部分をいう。また、凹部６の戸先側内面６ａとは、引手５ａより下に形成されている上記凹部６の内周面の内、戸先５ｄに近い部分をいう。モール５ｈが設けられている部分は、同様、モール５ｈの内周面の内、戸先５ｄに近い部分が戸先側内面６ａに相当する。
【００２３】
そして、引戸本体５の戸尻５ｆ側端部で控え壁部分４ｈに対向するその表面には、引戸本体５の縦全長に亘って（或いは、控え壁部分４ｈの内面に縦全長に亘って）明かり漏れ防止用のモヘア７が細長く取り付けられている。このモヘア７は、引戸本体５に設けられている場合には、方立４ａの引き込み口４ｂ側の内面や控え壁部分４ｈの内面（或いは、控え壁部分４ｈに設けられている場合には、引戸本体５の表面）に摺接する長さに設定されている。
【００２４】
次に、扉引き込み部４について説明する。図３の実線部分は控え壁で、仮想線を含む部分が戸袋である。以下、控え壁を中心に説明し、その後で戸袋について異なる部分を中心に簡単に説明する。
【００２５】
開口部３は、部屋２の壁面の適所に設けられ、その一方の内周面に一方の見切縦枠２１が設置され、前記見切縦枠２１の反対側にて開口部３に臨むように扉引き込み部４が設けられている。そして、開口部３の見切縦枠２１から扉引き込み部４の奥端まで見切横枠２３が設置され、見切横枠２３の下面には、走行レール１２がその長手方向の全長に亘って設置されている。前記走行レール１２の直下にて床８にガイド溝１３ａを有するガイドレール１３が設置されている。そして、扉引き込み部４の奥端に他方の見切縦枠２２が設置されている。
【００２６】
扉引き込み部４を構成する控え壁部分４ｈは、開口部３の他方の見切縦枠２２側から幅の狭い壁が開口部３側に向けて段状に延出され、その端面に方立４ａがその上下全長に亘って取り付けられている。そして、見切縦枠２２の内側面の適所に戸当たりゴム２４が取り付けられている。狭い壁で構成される控え壁部分４ｈの外面は、室内空間を区画する壁Ｗの一方（図３では上）の壁面Ｗ１と面一で、他方（図３で下）の壁面Ｗ２に対して段状に形成され、この段状の部分が引戸１を引き込む扉引き込み部４となる。従って、前記走行レール１２やガイドレール１３は、控え壁部分４ｈの内側に沿って開口部３全長から扉引き込み部４の奥端まで引き込まれる。
【００２７】
そして、前記方立４ａは、狭い控え壁部分４ｈより幅が広く、方立４ａの外側部分と引き込み口４ｂを構成する内側部分は、控え壁部分４ｈより若干突出している。
【００２８】
上記走行レール１２には、図４に示すように、引戸１の戸車１５が走行可能に吊り下げられており、引戸１のガイド足１６は、床８のガイド溝１３ａにスライド可能に嵌め込まれている。
【００２９】
次に、引戸１の横幅と、扉引き込み部４の奥行き深さＬとの関係について説明する。図３から分かるように、引戸１を扉引き込み部４に引き込み、戸尻５ｆを戸当たりゴム２４に当接させると、引戸１に引き残しＺ（方立４ａの開口端面４ｃから引戸１の戸先５ｄまでの部分）が発生し、方立４ａの開口端面４ｃと凹部６の戸先側内面６ａとの間の隙間Ｘが、指の太さ以上（具体的には、１５ｍｍ以上）となるように構成される。従って、方立４ａの開口端面４ｃから戸当たりゴム２４までが扉引き込み部４の奥行き深さＬということになり、引戸１の横幅より小さい。
【００３０】
また、この場合で、引戸１の表面（モール５ｈを設けている場合は、モール５ｈの表面）から方立４ａの引き込み口４ｂ側の内面との間の隙間Ｙが、上記と同様に指の太さ以上（具体的には、１５ｍｍ以上）となるように構成される。従って、凹部６の透光板６ｃ（装飾板）の表面から前記引き込み口４ｂ側の内面までの距離は１５ｍｍ以上となる。
【００３１】
このように構成された引戸１を、方立４ａ側の凹部６の戸尻側内面６ｂに指を掛けて開口部３を開く方向に引くと、モヘア７が方立４ａの引き込み口４ｂ側の内面や控え壁部分４ｈの内面に（或いは、引戸１の表面に）接触しながら通過し、更に引き込むと、引戸１の戸尻５ｆが戸当たりゴム２４に当接する前に凹部６の戸尻側内面６ｂ’に掛けた指が方立４ａに当たる。
【００３２】
しかしながら、上記のように、凹部６の装飾板（透光板）６ｃは、方立４ａの引き込み口４ｂ側の内面から指の太さより大きく離間した位置（Ｙ＝１５ｍｍ以上）にあるので、指が装飾板（透光板）６ｃと方立４ａとの間に挟まれることなく装飾板（透光板）６ｃの上を滑る。
【００３３】
なお、モヘア７は、方立４ａの引き込み口４ｂ側の内面や控え壁部分４ｈの内面に（或いは、引戸１の表面に）接触しているので、方立４ａと引戸１との間に隙間Ｘがあったとしても明かりが隣室若しくは廊下に漏れることがない。また、凹部６を透光板とした場合、引戸１を引いて開口部３を閉じた場合、室内側、室外側のいずれからも双方向で反対側の様子を視認でき、特に、幼児用施設に於いて便利である。
【００３４】
そして、引戸１の戸尻５ｆが戸当たりゴム２４に当接して停止すると、戸先５ｄ側に上記引き残しＺが発生し、凹部６の戸先側内面６ａ（図３ではモール５ｈの縁である戸先側内面６ａ）と方立４ａの開口端面４ｃとの間に指の太さ以上の隙間Ｘ（Ｘ＝１５ｍｍ以上）が生じるので、ここでも手指挟みが生じない。
【００３５】
図３の仮想線で示す戸袋の場合は、引戸１の両側に控え壁部分４ｈ・４ｈ’が設けられ、その開口側端面に他の方立４ａ’が設けられる。控え壁部分４ｈと引戸１の関係と、控え壁部分４ｈ’と引戸１との関係、及び方立４ａと引戸１の関係と、方立４ａ’と引戸１との関係は同一である。この場合は、上記作用により引戸１の表裏で手指詰めを生じない。
【符号の説明】
【００３６】
１：引戸、２：部屋、３：開口部、４：扉引き込み部、４ａ・４ａ’：方立、４ｂ：引き込み口、４ｃ：開口端面、４ｈ・４ｈ’：控え壁部分、５：引戸本体、５ａ：引手、５ｃ：戸先側部分、５ｄ：戸先、５ｆ：戸尻、５ｇ：取付溝、５ｈ：モール、６：凹部（採光窓・飾り凹部）、６ａ：戸先側内面、６ｂ・６ｂ’：戸尻側内面、６ｃ：装飾板（透光板）、７：モヘア、８：床、１２：走行レール、１３：ガイドレール、１３ａ：ガイド溝、１５：戸車、１６：ガイド足、２１・２２：見切縦枠、２３：見切横枠、２４：戸当たりゴム、Ｌ：奥行き深さ，Ｗ：壁、Ｗ１：上の壁面、Ｗ２：下の壁面、Ｘ・Ｙ：隙間、Ｚ：引き残し
【図１】
2018105042.tif 000003
【図２】
2018105042.tif 000004
【図３】
2018105042.tif 000005
【図４】
2018105042.tif 000006
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
部屋の開口部にスライドして開閉するように配設され、戸先側部分に引手及び前記引手よりも下の位置で、且つ、前記引手より戸尻側に寄った戸先側部分に凹部を有する引戸と、
前記開口部に臨み、引き込んだ前記引戸を収納する扉引き込み部とで構成された引戸の引き込み構造において、
前記引戸を引き込んだ状態で、前記開口部に臨む前記扉引き込み部の開口端面と引戸の戸先までの間に引き残しが生じ、前記引き残しにおいて、前記扉引き込み部の開口端面から前記凹部の戸先側内面の間に指より太い隙間が設けられることを特徴とする引戸の引き込み構造。
【請求項２】
前記引戸と前記扉引き込み部の引き込み口の内面との間の隙間は、指より太く設けられていることを特徴とする請求項１に記載の引戸の引き込み構造。
【手続補正２】
【補正対象書類名】明細書
【補正対象項目名】００１１
【補正方法】変更
【補正の内容】
【００１１】
請求項１に記載した引戸１の引き込み構造は、
部屋２の開口部３にスライドして開閉するように配設され、戸先側部分５ｃに引手５ａ及び前記引手５ａよりも下の位置で、且つ、前記引手５ａより戸尻５ｆ側に寄った戸先側部分５ｃに凹部６を有する引戸１と、
前記開口部３に臨み、引き込んだ前記引戸１を収納する扉引き込み部４とで構成された引戸１の引き込み構造において、
前記引戸１を引き込んだ状態で、前記開口部３に臨む前記扉引き込み部４の開口端面４ｃと引戸１の戸先５ｄまでの間に引き残しＺが生じ、前記引き残しＺにおいて、前記扉引き込み部４の開口端面４ｃから前記凹部６の戸先側内面の６ａ間に指より太い隙間Ｘが設けられることを特徴とする。